(57)【要約】【課題】動画を見ている最中にシャッタチャンスが訪れたときには撮影を行なうことができ、かつ撮影の間の動画を楽しむこともできる撮影装置、およびその撮影装置に搭載される表示／録画制御方法を提供する。  【解決手段】テレビモードであると判定したら動画であるテレビ画像を表示画面上に表示する（Ｓ４０２）。このときにレリーズボタンが半押しされたらスルー画を表示画面上に表示する（Ｓ４０４）と同時にテレビ画像の録画を開始する。レリーズボタンが全押しされたら静止画像を記録して（Ｓ４０７）、撮影終了という指示を受けてテレビ画像の録画を停止すると同時に表示画面上にテレビ画像を表示する（ステップＳ４０８、Ｓ４０９）。【選択図】図４
2009089038.tif 000002
【特許請求の範囲】
【請求項１】
画像を表示する表示画面と、操作を受けて撮影を指示する撮影指示操作子を備え、該表示画面に被写体を写し出すとともに、該撮影指示操作子の操作を受けて撮影を行なって画像を記録する撮影手段と、
動画を受信して前記表示画面上に動画を表示する動画受像手段と、
前記表示画面上に動画を表示する動画表示モードの途中における前記撮影指示操作子の操作を受けて前記表示画面への動画の表示を中断して該表示画面に被写体を写し出すとともに該動画の録画を開始し、撮影終了時に録画を終了するとともに前記表示画面への動画の表示を再開する表示／録画制御手段とを備えたことを特徴とする撮影装置。
【請求項２】
画像を表示する表示画面と、操作を受けて撮影を指示する撮影指示操作子を備え、該表示画面に被写体を写し出すとともに、該撮影指示操作子の操作を受けて撮影を行なって画像を記録する撮影手段と、
動画を受信して前記表示画面上に動画を表示する動画受像手段と、
前記表示画面上に動画を表示する動画表示モードの途中における前記撮影指示操作子の操作を受けて、前記表示画面への動画の表示を中断して該表示画面に被写体を写し出すとともに該動画の録画を開始し、撮影終了時には録画を継続しながら、前記表示画面への、中断時の動画の続きの部分から動画の表示を再開する表示／録画制御手段とを備えたことを特徴とする撮影装置。
【請求項３】
前記表示／録画制御手段は、前記表示画面への表示に関し、前記動画表示モードにあるときは前記表示画面に動画を表示するとともに該表示画面の一部領域に被写体を写し出し、
前記撮影操作指示操作子の操作を受けて、前記表示画面に被写体を写し出すとともに該一部領域に動画を表示し、撮影終了後は、前記表示画面に動画を表示するとともに該一部領域に被写体を写し出すものであることを特徴とする請求項１又は２記載の撮影装置。
【請求項４】
撮影画像と動画との双方が記録されるメモリを有し、
前記表示／録画制御手段は、前記撮影指示操作子の操作を受けて前記メモリの空き容量を検出し、該空き容量が撮影画像の記録に足りないとき、該メモリに動画が記録されていた場合は該動画を消去して撮影画像の記録領域を確保するものであることを特徴とする請求項１から３のうちのいずれか１項記載の撮影装置。
【請求項５】
前記表示／録画制御手段は、前記メモリに記録されている動画を消去するにあたり、該メモリに複数の時点における複数の動画が記録されていた場合に時間的に古い動画を消去するものであることを特徴とする請求項４記載の撮影装置。
【請求項６】
撮影画像と動画との双方が記録される、着脱自在の外部メモリと、
当該撮影装置に固定的に内蔵された内部メモリとを備え、
前記表示／録画制御手段は、前記撮影指示操作子の操作を受けて、前記外部メモリの空き容量を検出し該空き容量が撮影画像の記録に足りないとき、該外部メモリに動画が記録されている場合は該動画を前記内部メモリに移動させて該外部メモリに撮影画像の記録領域を確保するものであることを特徴とする請求項１から３のうちのいずれか１項記載の撮影装置。
【請求項７】
前記表示／録画制御手段は、撮影終了後に、前記内部メモリに移動しておいた動画を圧縮して前記外部メモリに書き戻すものであることを特徴とする請求項６記載の撮影装置。
【請求項８】
前記表示／録画制御手段は、前記外部メモリから前記内部メモリに動画を移すにあたり、該外部メモリに複数の時点における複数の動画が記録されていた場合には時間的に古い動画を移すものであることを特徴とする請求項６又は７記載の撮影装置。
【請求項９】
前記撮影手段は、撮影画像を記録するにあたり、該撮影画像に、撮影画像である旨のタグを付して記録するものであり、
前記表示／録画制御手段は、動画を録画するにあたり、該動画に動画である旨のタグを付して録画するものであって、該表示／録画制御手段は、タグ情報を参照して撮影画像であるか動画であるかを判定するものであることを特徴とする請求項４又は６又は７記載の撮影装置。
【請求項１０】
前記撮影手段は、撮影画像を記録するにあたり、該撮影画像に、撮影画像である旨のタグを付して記録するものであり、
前記表示／録画制御手段は、動画を録画するにあたり、該動画に動画である旨および現在時刻を記録したタグを付して録画するものであって、
前記表示／録画制御手段は、タグ情報を参照して撮影画像であるか動画であるかを判定し、さらに複数の動画が存在していた場合の動画どうしの古さの順序を判定するものであることを特徴とする請求項５又は８記載の撮影装置。
【請求項１１】
画像を表示する表示画面と、操作を受けて撮影を指示する撮影指示操作子を備え、該表示画面に被写体を写し出すとともに、該撮影指示操作子の操作を受けて撮影を行なって画像を記録する撮影手段と、動画を受信して前記表示画面上に動画を表示する動画受像手段とを備えた撮影装置における表示／録画制御方法であって、
前記表示画面上に動画を表示する動画表示モードの途中における前記撮影指示操作子の操作を受けて前記表示画面への動画の表示を中断して該表示画面に被写体を写し出すとともに該動画の録画を開始し、撮影終了時に録画を終了するとともに前記表示画面への動画の表示を再開することを特徴とする表示／録画制御方法。
【請求項１２】
画像を表示する表示画面と、操作を受けて撮影を指示する撮影指示操作子を備え、該表示画面に被写体を写し出すとともに、該撮影指示操作子の操作を受けて撮影を行なって画像を記録する撮影手段と、動画を受信して前記表示画面上に動画を表示する動画受像手段とを備えた撮影装置における表示／録画制御方法であって、
前記表示画面上に動画を表示する動画表示モードの途中における前記撮影指示操作子の操作を受けて、前記表示画面への動画の表示を中断して該表示画面に被写体を写し出すとともに該動画の録画を開始し、撮影終了時には録画を継続しながら、前記表示画面への、中断時の動画の続きの部分から動画の表示を再開することを特徴とする表示／録画制御方法。
【請求項１３】
前記表示画面への表示に関し、前記動画表示モードにあるときは前記表示画面に動画を表示するとともに該表示画面の一部領域に被写体を写し出し、
前記撮影操作指示操作子の操作を受けて、前記表示画面に被写体を写し出すとともに該一部領域に動画を表示し、撮影終了後は、前記表示画面に動画を表示するとともに該一部領域に被写体を写し出すことを特徴とする請求項１１又は１２記載の表示／録画制御方法。
【請求項１４】
前記撮影装置が、撮影画像と動画との双方が記録されるメモリを有し、
前記撮影指示操作子の操作を受けて前記メモリの空き容量を検出し、該空き容量が撮影画像の記録に足りないとき、該メモリに動画が記録されていた場合は該動画を消去して撮影画像の記録領域を確保することを特徴とする請求項１１から１３のうちのいずれか１項記載の表示／録画制御方法。
【請求項１５】
前記メモリに記録されている動画を消去するにあたり、該メモリに複数の時点における複数の動画が記録されていた場合に時間的に古い動画を消去することを特徴とする請求項１４記載の表示／録画制御方法。
【請求項１６】
前記撮影装置が、撮影画像と動画との双方が記録される、着脱自在の外部メモリと、当該撮影装置に固定的に内蔵された内部メモリとを備えたものであって、
前記撮影指示操作子の操作を受けて、前記外部メモリの空き容量を検出し該空き容量が撮影画像の記録に足りないとき、該外部メモリに動画が記録されている場合は該動画を前記内部メモリに移動させて該外部メモリに撮影画像の記録領域を確保することを特徴とする請求項１１から１３のうちのいずれか１項記載の表示／録画制御方法。
【請求項１７】
撮影終了後に、前記内部メモリに移動しておいた動画を圧縮して前記外部メモリに書き戻すことを特徴とする請求項１６記載の表示／録画制御方法。
【請求項１８】
前記外部メモリから前記内部メモリに動画を移すにあたり、該外部メモリに複数の時点における複数の動画が記録されていた場合には時間的に古い動画を移すことを特徴とする請求項１６又は１７記載の表示／録画制御方法。
【請求項１９】
前記撮影手段は、撮影画像を記録するにあたり、該撮影画像に、撮影画像である旨のタグを付して記録し、
動画を録画するにあたり、該動画に動画である旨のタグを付して録画し、
タグ情報を参照して撮影画像であるか動画であるかを判定することを特徴とする請求項１４又は１６又は１７記載の表示／録画制御方法。
【請求項２０】
撮影画像を記録するにあたり、該撮影画像に、撮影画像である旨のタグを付して記録し、
動画を録画するにあたり、該動画に動画である旨および現在時刻を記録したタグを付して録画し、
タグ情報を参照して撮影画像であるか動画であるかを判定し、さらに複数の動画が存在していた場合の動画どうしの古さの順序を判定するものであることを特徴とする請求項１５又は１８記載の表示／録画制御方法。
【発明の詳細な説明】
【技術分野】
【０００１】
本発明は、表示画面上の被写体を見てその被写体を撮影する機能と動画を受信して動画を上記表示画面上に表示する機能を有する撮影装置、その撮影装置に搭載される表示／録画制御方法に関する。
【背景技術】
【０００２】
最近のカメラ付き携帯電話機には、カメラに加えてデジタル放送対応のテレビ受像機能が搭載されているものがある。また最近のカメラ付き携帯電話機には、例えばＳＤカードと呼ばれる大容量のメモリが着脱自在に装着されるようになっているものが多い。
【０００３】
このため、カメラ付き携帯電話機を所持するユーザは、表示画面上でテレビ画像を見ながらそのテレビ画像を上記ＳＤカードに録画することができ、シャッタチャンスが訪れたときには、カメラで撮影を行なって撮影画像を上記ＳＤカードに記録することができる。
【０００４】
しかし、ユーザがテレビを見ている最中にシャッタチャンスが訪れたときには、テレビモードからカメラモードにモードを切り替えてから撮影を行なわなければならないのでシャッタチャンスを逃してしまうことがある。また、テレビを見ている最中にシャッタチャンスが訪れたときにはカメラモードに切り替えて撮影を行なうことに夢中になってテレビ番組のテレビ画像を見ることができなくなってしまう。
【０００５】
そこで、特許文献１では、大画面中に小画面を挿入して２画面を形成する、いわゆるピクチャーインピクチャーという技術を使って、大画面にテレビ画像とスルー画のうちの一方を表示して小画面にスルー画とテレビ画像のうちの他方を表示することによって、テレビを見ているときにシャッタチャンスが訪れたときにも撮影を行なうことができるようにし、またテレビ画像を継続して見ることができるようにもしている。
【０００６】
しかし、特許文献１のものでは、撮影時にはテレビ画像が小画面に表示されるために撮影を行なう撮影者の注意がどうしても大画面側のスルー画の方にいって小画面に表示されているテレビ画像を楽しむことができなくなるという欠点を持つ。
【０００７】
以上の点は、テレビ画像に限らず、映画等の動画コンテンツを受信して表示する場合など動画一般に成り立つことである。
【特許文献１】特開２００５−１６７７０１号公報
【発明の開示】
【発明が解決しようとする課題】
【０００８】
本発明は、上記事情に鑑み、動画を見ている最中にシャッタチャンスが訪れたときには撮影を行なうことができ、かつ撮影の間の動画を楽しむこともできる撮影装置、およびその撮影装置に搭載される表示／録画制御方法を提供することを目的とする。
【課題を解決するための手段】
【０００９】
上記目的を達成するための本発明の撮影装置は、画像を表示する表示画面と、操作を受けて撮影を指示する撮影指示操作子を備え、その表示画面に被写体を写し出すとともに、その撮影指示操作子の操作を受けて撮影を行なって画像を記録する撮影手段と、
動画を受信して前記表示画面上に動画を表示する動画受像手段と、
上記表示画面上に動画を表示する動画表示モードの途中における上記撮影指示操作子の操作を受けて上記表示画面への動画の表示を中断してその表示画面に被写体を写し出すとともにその動画の録画を開始し撮影終了時に録画を終了するとともに上記表示画面への動画の表示を再開する表示／録画制御手段を備えたことを特徴とする。
【００１０】
上記本発明の撮影装置によれば、上記表示／録画制御手段によって上記動画表示モードの途中における撮影指示操作子の操作を受けて上記表示画面上の動画の表示が中断されて撮影モードに自動的に切り替えられて撮影が開始され表示画面に被写体が写し出されるとともに、動画の録画が開始される。そして撮影が終了した後には動画の録画が終了され表示画面への動画の表示が再開される。このため、撮影中に見逃した動画については、後から録画を再生することによりゆっくりと楽しむことができる。
【００１１】
また、上記目的を達成する第２の撮影装置は、画像を表示する表示画面と、操作を受けて撮影を指示する撮影指示操作子を備え、その表示画面に被写体を写し出すとともに、その撮影指示操作子の操作を受けて撮影を行なって画像を記録する撮影手段と、
動画を受信して上記表示画面上に動画を表示する動画受像手段と、
上記表示画面上に動画を表示する動画表示モードの途中における上記撮影指示操作子の操作を受けて上記表示画面への動画の表示を中断してその表示画面に被写体を写し出すとともに録画を開始し、撮影終了時には録画を継続しながら上記表示画面への、中断時の動画の続きの部分から動画の表示を再開する表示／録画制御手段とを備えたことを特徴とする。
【００１２】
上記課題を達成する本発明の第２の撮影装置によれば、上記表示／録画制御手段によって上記動画表示モードの途中における撮影指示操作子の操作を受けて上記表示画面上の動画の表示が中断されて撮影モードに自動的に切り替えられて撮影が開始され表示画面に被写体が写し出されるとともに、動画の録画が開始される。そして撮影が終了したときに動画の録画が継続されながら表示画面上に中断時の動画の続きの部分から動画の表示が再開される。
【００１３】
このため、撮影を行なっている最中の画像を撮影後に続けてゆっくりと見ることができる。
【００１４】
また上記表示／録画制御手段は、上記表示画面への表示に関し、上記動画表示モードにあるときは上記表示画面に動画を表示するとともにその表示画面の一部領域に被写体を写し出し、
上記撮影操作指示操作子の操作を受けて上記表示画面に被写体を写し出すとともにその一部領域に動画を表示し、撮影終了後は、上記表示画面に動画を表示するとともにその一部領域に被写体を写し出すものであっても良い。
【００１５】
ここで、撮影画像と動画との双方が記録されるメモリを有し、
上記表示／録画制御手段は、上記撮影指示操作子の操作を受けて上記メモリの空き容量を検出し、その空き容量が撮影画像の記録に足りないとき、そのメモリに動画が記録されていた場合はその動画を消去して撮影画像の記録領域を確保するものであることが好ましい。
【００１６】
そうすると、メモリに撮影画像を記録する空き容量がなくても、上記表示／録画制御手段によって、メモリ内の動画が消去されることにより空き容量が確保されて撮影画像が優先的にメモリに記録される。こうしておくと、撮影により得た画像が確実に記録され、撮影したはずなのにメモリに記録されていないという事態が回避される。
【００１７】
ここで、上記表示／録画制御手段は、上記メモリに記録されている動画を消去するにあたり、そのメモリに複数の時点における複数の動画が記録されている場合に時間的に古いい動画を消去するものであることが好ましい。
【００１８】
ユーザは、動画などを記録したままにしておくことが多く、時間的に古い動画であればあるほど、あまり必要のない画像になっていることが多い。そこで、時間的に古い動画を消去することで、時間的に新しく比較的必要であると考えられる動画を残すとともに、撮影したばかりでもっとも必要であると考えられる撮影画像を記録する構成にしておくと良い。
【００１９】
また、撮影画像と動画との双方が記録される、着脱自在の外部メモリと、
当該撮影装置に固定的に内蔵される内部メモリとを備え、
上記表示／録画制御手段は、上記撮影指示操作子の操作を受けて、上記外部メモリの空き容量を検出し空き容量が撮影画像の記録に足りないとき、その外部メモリに動画が記録されている場合はその動画を上記内部メモリに移動させてその外部メモリに撮影画像の記録領域を確保するものであっても良い。
【００２０】
上記構成であると、内部メモリに移動させた動画を後から圧縮して外部メモリに記録することができるので、外部メモリ内の動画を消去しなくて済む。
【００２１】
つまり、上記表示／録画制御手段は、撮影終了後に、上記内部メモリに移動しておいた動画を圧縮して上記外部メモリに書き戻すものであると良い。
【００２２】
ここで、上記表示／録画制御手段は、上記外部メモリから上記内部メモリに動画を移すにあたり、その外部メモリに複数の時点における複数の動画が記録されていた場合には時間的に古い動画を移すものであることが好ましい。
【００２３】
ユーザの中には時間的に古い画像を大事にしていることがあるので、多少画像が粗くなっても圧縮して外部メモリに記録しておくと良い。
【００２４】
上記撮影手段は、撮影画像を記録するにあたりその撮影画像に、撮影画像である旨のタグを付して記録するものであり、
上記表示／録画制御手段は、動画を録画するにあたり、その動画に動画である旨のタグを付して録画するものであって、上記表示／録画制御手段は、タグ情報を参照して撮影画像であるか動画であるかを判定するものであると良く、
さらに上記撮影手段は、撮影画像を記録するにあたり該撮影画像に、撮影画像である旨のタグを付して記録するものであり、
上記表示／録画制御手段は、動画を録画するにあたり、その動画に動画である旨および現在時刻を記録したタグを付して録画するものであって、
上記表示／録画制御手段は、タグ情報を参照して撮影画像であるか動画であるかを判定し、さらに複数の動画が存在していた場合の動画どうしの古さの順序を判定するものであると尚良い。
【００２５】
上記消去処理を行なうにあたっては、例えば従来の特開２００２−３０５１１号公報明細書中の技術を使って撮影した画像の良し悪しに応じて重要度を定めその重要度を示す情報と撮影画像とを記録媒体に記録して後からその重要度を示す情報を読み取って重要度の低い方の画像をを消去しても良いが、上記構成であると動画については動画である旨および現在時刻を記録したタグを付して上記記録媒体に記録しておいて、後からそのタグ情報を参照して例えば撮影時刻順に並べる等して最も日時の古い画像を重要度の低い画像と定めて消去するようなことができる。
【００２６】
また、上記本発明の第１の表示／録画制御方法は、画像を表示する表示画面と、操作を受けて撮影を指示する撮影指示操作子を備え、その表示画面に被写体を写し出すとともに、その撮影指示操作子の操作を受けて撮影を行なって画像を記録する撮影手段と、動画を受信して上記表示画面上に動画を表示する動画受像手段とを備えた撮影装置における表示／録画制御方法であって、
上記表示画面上に動画を表示する動画表示モードの途中における上記撮影指示操作子の操作を受けて上記表示画面への動画の表示を中断してその表示画面に被写体を写し出すとともに動画の録画を開始し、撮影終了時に録画を終了するとともに上記表示画面への動画の表示を再開することを特徴とする。
【００２７】
また、上記課題を達成する本発明の第２の表示／録画制御方法は、
画像を表示する表示画面と、操作を受けて撮影を指示する撮影指示操作子を備え、その表示画面に被写体を写し出すとともに、その撮影指示操作子の操作を受けて撮影を行なって画像を記録する撮影手段と、動画を受信して上記表示画面上に動画を表示する動画受像手段とを備えた撮影装置における表示／録画制御方法であって、
上記表示画面上に動画を表示する動画表示モードの途中における上記撮影指示操作子の操作を受けて、上記表示画面への動画の表示を中断してその表示画面に被写体を写し出すとともに動画の録画を開始し、撮影終了時には録画を継続しながら、上記表示画面への、中断時の動画の続きの部分から動画の表示を再開することを特徴とする。
【００２８】
ここで、上記表示画面への表示に関し、上記動画表示モードにあるときは上記表示画面に動画を表示するとともにその表示画面の一部領域に被写体を写し出し、
上記撮影操作指示操作子の操作を受けて、上記表示画面に被写体を写し出すとともにその一部領域に動画を表示し、撮影終了後は、上記表示画面に動画を表示するとともにその一部領域に被写体を写し出すことが好ましい。
【００２９】
また、上記撮影装置が、撮影画像と動画との双方が記録されるメモリを有し、
上記撮影指示操作子の操作を受けて上記メモリの空き容量を検出し、その空き容量が撮影画像の記録に足りないとき、そのメモリに動画が記録されていた場合はその動画を消去して撮影画像の記録領域を確保することが好ましい。
【００３０】
また上記メモリに記録されている動画を消去するにあたり、そのメモリに複数の時点における複数の動画が記録されていた場合に時間的に古い動画を消去することが好ましい。
【００３１】
また上記撮影装置が、撮影画像と動画との双方が記録される、着脱自在の外部メモリと、当該撮影装置に固定的に内蔵された内部メモリとを備えたものであって、
上記撮影指示操作子の操作を受けて、上記外部メモリの空き容量を検出しその空き容量が撮影画像の記録に足りないとき、その外部メモリに動画が記録されている場合はその動画を上記内部メモリに移動させてその外部メモリに撮影画像の記録領域を確保することが好ましい。
【００３２】
また撮影終了後に、上記内部メモリに移動しておいた動画を圧縮して上記外部メモリに書き戻すことが好ましい。
【００３３】
また、上記外部メモリから上記内部メモリに動画を移すにあたり、その外部メモリに複数の時点における複数の動画が記録されていた場合には時間的に古い動画を移すことが好ましい。
【００３４】
また、上記撮影手段は、撮影画像を記録するにあたり、その撮影画像に、撮影画像である旨のタグを付して記録し、
動画を録画するにあたり、その動画に動画である旨のタグを付して録画し、
タグ情報を参照して撮影画像であるか動画であるかを判定することが好ましい。
【００３５】
さらに、撮影画像を記録するにあたり、その撮影画像に、撮影画像である旨のタグを付して記録し、
動画を録画するにあたり、その動画に動画である旨および現在時刻を記録したタグを付して録画し、
タグ情報を参照して撮影画像であるか動画であるかを判定し、さらに複数の動画が存在していた場合の動画どうしの古さの順序を判定するものであることが好ましい。
【発明の効果】
【００３６】
以上説明した様に、動画を見ている最中にシャッタチャンスが訪れたときには撮影を行なうことができ、かつ撮影の間の動画を楽しむこともできる撮影装置、およびその撮影装置に搭載される表示／録画制御方法が実現する。
【発明を実施するための最良の形態】
【００３７】
以下、図面を参照して本発明の実施の形態を説明する。
【００３８】
以下の実施形態では、動画の一例であるテレビ画像について、表示および録画する例を説明する。
【００３９】
図１は、本発明の撮影装置の一実施形態であるカメラ／テレビ兼用装置を斜め上前方から見た外観斜視図である。
【００４０】
図１に示すカメラ／テレビ兼用装置１は、被写体光を捉えて画像データを生成するとともにテレビ画像を受信して表示画面上にテレビ画像を表示するものである。このカメラ／テレビ兼用装置１の前面には、光学ズームレンズを内蔵したレンズ鏡胴１１１と、撮影に同期してフラッシュ光を発するフラッシュ発光窓１１２と、暗所など低コントラスト時のオートフォーカス（ＡＦ）精度を向上させるためのＡＦ補助光ランプ１１３等が備えられている。
【００４１】
また、このカメラ／テレビ兼用装置１の上面には、電源スイッチ１１４と、レリーズボタン１１５と、レリーズボタン１１５の周囲に回転式のモードダイヤル１１６が備えられている。モードダイヤル１１６はそのダイヤルを回すことにより静止画モードと動画モードとを切り換えることができるようになっている。また、撮影条件設定ダイヤル１９０、さらにテレビ画像受信用のアンテナ１９１が備えられている。この撮影条件設定ダイヤル１９０を回転させることによっては光源種の設定が行なわれる。
【００４２】
図２は、図１に示すカメラ／テレビ兼用装置の背面を示す外観図である。
【００４３】
図２に示すカメラ／テレビ兼用装置１の背面には、ＬＣＤの表示画面１１７Ａ、ファインダ１２４、ＭＥＮＵ／ＯＫボタン１１８、ＤＩＳＰ／ＢＡＣＫボタン１１９、フォトモードボタン１２０、再生ボタン１２１、十字ボタン１２２、ズームボタン１２３などが備えられている。
【００４４】
ＬＣＤの表示画面１１７Ａは、撮影レンズにより被写体光を捉えて生成された画像データからなる画像、および種々の設定時における情報、さらにはテレビ画像を表示するものである。上述のＭＥＮＵ／ＯＫボタン１１８でテレビモードが選択されたときにはこのＬＣＤの表示画面１１７Ａ上にテレビ画像が表示される。このため、前述した様に図２の左右斜め上方にはテレビ画像受信用のアンテナ１９１が備えられている。
【００４５】
ＭＥＮＵ／ＯＫボタン１１８は、撮影時や再生時における各種のメニューをＬＣＤの表示画面１１７Ａに表示させたり、表示されたメニューの中から所望のメニューを選択し決定するためのボタンである。このＭＥＮＵ／ＯＫボタン１１８の操作により、カメラモードとテレビモードとが切り替えられる。
【００４６】
ＤＩＳＰ／ＢＡＣＫボタン１１９は、ＬＣＤの表示画面１１７Ａに表示された再生画像の画面の状態を切り換えたり、ＭＥＮＵ／ＯＫボタン１１８等による操作を１つ前の状態に戻したり操作を取り消したりするためのボタンである。
【００４７】
フォトモードボタン１２０は、ピクセル数，感度，色味，プリント枚数等を設定するためのボタンである。
【００４８】
再生ボタン１２１は、後述する外部メモリ１４３に記録された撮影画像を、ＬＣＤ１１７に再生表示するためのボタンである。
【００４９】
十字ボタン１２２は、様々なモードでその役割が変化し、例えば静止画モードではマクロボタンやフラッシュボタンであったり、再生モードではＬＣＤの表示画面１１７Ａに表示したサムネイルの選択ボタンであったりする。マクロボタンは、マクロ撮影を行なうか否かを切り換えるためのボタンであり、一度押下するとマクロ撮影モードとなり、再度押下するとマクロ撮影モードが解除される。フラッシュボタンは、押下する毎に、オートフラッシュ、赤目低減フラッシュ、強制フラッシュ、フラッシュ禁止、スローシャッタでのフラッシュ、およびオートフラッシュというようにフラッシュの状態を順繰りに切り換えるためのボタンである。
【００５０】
ズームボタン１２３は、右方に向けて押下することにより望遠側（テレ側）にズームインするとともに左方に向けて押下することにより広角側（ワイド側）にズームアウトするためのボタンである。
【００５１】
図３は、図１、図２のカメラ／テレビ兼用装置１内部の構成を示す構成ブロック図である。
【００５２】
図３に示すように図１、図２のカメラ／テレビ兼用装置１の動作を統括的にＣＰＵ１００により制御されている。ＣＰＵ１００はメインメモリ１００ａ内に格納されているプログラムの手順にしたがってこのカメラ／テレビ兼用装置１全体の動作を制御する。
【００５３】
まず図３を参照してカメラモードのときの被写体を表わす画像データの流れを説明する。
【００５４】
レンズ鏡胴１１１に内蔵されているズーム光学系１１１ａによって被写体が捉えられＣＣＤ固体撮像素子（以降ＣＣＤという）１０２までその捉えられた被写体が導かれるようになっている。ＣＰＵ１００の制御の下に図示しないクロックジェネレータからＣＣＤ１０２に向けて露光開始信号が供給されてからシャッタ秒時を隔てて露光終了信号が供給されるまでの間にＣＣＤ１０２で露光が行なわれ、露光終了信号のタイミングでＣＣＤ１０２から被写体を表わす画像データがＣＤＳアナログデコーダ１０３に出力される。このＣＤＳアナログデコーダ１０３では、画像データに乗っているノイズの低減が行なわれてさらにＲ色，Ｇ色，Ｂ色を表わす各色信号に分解される。それらの色信号それぞれが後段のホワイトバランスアンプ１０４に供給され、ここで加色混合が行なわれる。このときに各色アンプに所定のゲインを設定するための制御電圧がＥＶＲ（電子ボリューム）１０９を介してそれぞれ供給されている。ここではこのカメラ／テレビ兼用装置１を統括的に制御しているＣＰＵ１００が撮影条件設定ダイヤル１９０の設定に応じてＥＶＲ１０９の抵抗値を調節することによりホワイトバランスアンプ１０４内の各色アンプのゲインを、撮影条件設定ダイヤル１９０の設定に応じた光源種にする構成が示されている。
【００５５】
さらに各色信号はγ補正部１０５に供給され、γ補正部１０５によって表示に適した色信号に各変換される。さらに表示に適したＲ色信号、Ｇ色信号、Ｂ色信号が後段の点順次化部によって順次化されてＡ／Ｄコンバータ１０７に供給される。このＡ／Ｄコンバータによりデジタル信号に変換された各色信号からなる画像データがメモリコントローラ１０８によりバス１１０へと導かれる。
【００５６】
そのバス１１０に導かれた画像データがＹＣ信号作成部１４０でＹＣ信号に変換された後、バス１１０を介してＬＣＤドライバ１１７０に供給されてＬＣＤ１１７の表示画面１１７Ａ（図１参照）上にその画像データに基づく画像（スルー画）が表示される。
【００５７】
このスルー画が表示されているときにも随時調節されているが、レリーズスイッチ１１５が半押しされてスイッチＳ１が接続されるとそのレリーズスイッチ１１５の半押しタイミングの被写界輝度と合焦位置とがＣＰＵ１００によって検出されそのＣＰＵ１００の制御の下にアイリスモータドライバ１０１３により絞りが駆動され適切な径になるように絞り開口が調節され、さらにＡＦモータドライバ１０１４により合焦位置に配置されるようにフォーカスレンズが駆動されてピントが調節される。さらにレリーズスイッチ１１５が全押しされスイッチＳ２が接続されると、図示しないタイミングジェネレータからＣＣＤ１０２に露光開始信号が供給され、所定のシャッタ秒時経過後に今度は露光終了信号が供給されて露光終了信号の供給タイミングに同期してＣＤＳアナログデコーダ１０３に各色信号が出力される。さらにホワイトバランスアンプ１０４により各色信号が加色混合処理され上記撮影条件設定ダイヤルの設定に応じた白色が得られるように各色のゲインが調節された後、γ処理部１０５に供給され、さらにこのγ処理部１０５により表示用信号への変換が行なわれて各色信号が点順次化部１０６でＲ、Ｇ、Ｂという順に順次化されてＡ／Ｄコンバータ１０７へ出力される。さらにＡ／Ｄコンバータ１０７を介してデジタル信号に変換された画像データが、メモリコントローラ１０８によりバス１１０に導かれる。バス１１０に導かれた画像データは、ＹＣ信号作成部１４０に供給され、ＹＣ信号に分離された後、圧縮伸張部１４１に供給され外部メモリインターフェイス１４２を介して外部メモリである記録媒体１４３に画像データを含む画像ファイルが記録される。なおモードスイッチ１１６が動画撮影モード側に切り替えられている場合には、動画信号がＭＰＥＧエンコーダ＆デコーダ部１４４に供給されＭＰＥＧ規格に応じた圧縮が行なわれて外部メモリインターフェイス１４２を介して外部メモリ１４３に動画を表わす画像データが記録される。
【００５８】
また本実施形態のカメラ／テレビ兼用装置１は、外部ビデオ端子を有しており、その外部出力端子からＮＴＳＣ信号作成部１４００で作成されたＮＴＳＣ信号（ビデオ信号）を出力することができるようにもなっている。このＮＴＳＣ信号をテレビジョン受像機に接続するとテレビジョン受像機の画面上に画像が表示されるようにもなる。
【００５９】
また動画を表わす画像データを撮影するときなどに用いられるＡｕｄｉｏ入出力手段１３１も備えられており、そのＡｕｄｉｏ入出力手段１３１に音声信号を入力するマイク１３２や撮影時にそのマイク１３２で拾って録音した音声を表わす信号を再生時に出力するためのスピーカ１３３も備えられている。
【００６０】
図１で説明した各種スイッチ（レリーズスイッチ１１５やズームスイッチ１２３等）がＣＰＵ１００の入力部に接続されているので、これらのスイッチのうちのいずれかが操作されるとその操作信号がＣＰＵ１００に供給されてＣＰＵ１００がその操作信号に応じて、静止画撮影や動画撮影などの各種撮影処理を適宜実行する。
【００６１】
ここで、本実施形態のカメラ／テレビ兼用装置１には、テレビ画像受信用のアンテナ１９１とＴＶチューナ１９２が備えられており、ＬＣＤ１７０の表示画面１７０Ａ上にテレビ画像を表示することができる。
【００６２】
この例では上述のＭＥＮＵ／ＯＫキー１１８が操作され十字キー１２２の操作等によりテレビモードが選択されたときには、アンテナ１９１を通してＴＶチューナ１９２で受信されたテレビ画像が表示画面１１７Ａ上に表示される。なおこのＴＶチューナ１９２はデジタル放送対応のものであってテレビ画像がデジタル信号になっているため、ユーザにより録画指示があった場合には外部メモリ１４３に外部メモリインターフェース１４２を介してテレビ画像をすぐに記録することができる。
【００６３】
さらに本実施形態においては、このテレビ画像が表示画面上に表示されているときにレリーズボタンが全押し（Ｓ２）されると撮影処理が開始されるとともに、テレビ画像の外部メモリ１４３への録画が開始されるようになっている。
【００６４】
図４は、そのテレビモードが指定されてテレビ画像が表示画面に表示されているときにレリーズボタンが全押し（Ｓ２）されたときにＣＰＵ１００が行なう表示／録画に関する処理手順を示すフローチャートである。
【００６５】
図４を参照してＣＰＵ１００が行なう表示／録画処理を説明する。
【００６６】
ステップＳ４０１で、テレビモードであるかどうかを判定する。このステップＳ４０１でテレビモードではないと判定したらＮｏ側へ進んでステップＳ４１１でスルー画の表示処理を行なって、ステップＳ４１２でレリーズボタン１１５が半押し（Ｓ１）されたかどうかを判定する。このステップＳ４１２でまだ半押しされていないと判定したら、ステップＳ４１２を繰り返し、ステップＳ４１２で半押しされたと判定したらステップＳ４１３へ進む。ステップＳ４１３でレリーズボタン１１５がまだ全押しされていないと判定したらステップＳ４１３を繰り返し、ステップＳ４１３で全押しされたと判定したら、Ｙｅｓ側へ進んでステップＳ４１４で撮像した静止画を外部メモリインターフェース１２２を介して外部メモリ１４３に記録する。このときには撮影日時や静止画撮影である旨のタグを付して外部メモリに画像ファイルを記録し、次のステップＳ４１０で電源オフされたかどうかを判定し、オフされていないと判定したときにはＮｏ側へ進んでステップＳ４０１からの処理を繰り返し、オフされていると判定したときにはＹｅｓ側へ進んでこのフローの処理を終了する。
【００６７】
一方、ステップＳ４０１で、テレビモードであると判定したときにはＹｅｓ側へ進んでステップＳ４０２でテレビ画像を表示画面上に表示する。次のステップＳ４０３でレリーズボタン１１５（図１参照）が半押し（Ｓ１）されたかどうかを判定し、まだレリーズボタン１１５が半押しされていなかったらステップＳ４０３を繰り返し、ステップＳ４０３でレリーズボタンが半押しされたと判定したらステップＳ４０４で表示画面上にスルー画を表示すると同時にステップＳ４０５でテレビ画像の録画を開始する。次のステップＳ４０６で、レリーズボタンが全押し（Ｓ２）されたかどうかを判定する。このステップＳ４０６で全押しされていないと判定したときにはステップＳ４０６を繰り返し、ステップＳ４０６で全押しされたと判定したときにはステップＳ４０７へ進む。ステップＳ４０７で静止画記録が終了したかどうか判定し、また記録が行なわれていると判定したときにはＮｏ側へ進んでステップＳ４０７の処理を繰り返し、記録が終了したと判定したときにはＹｅｓ側へ進んでステップＳ４０８でテレビ画像の録画を停止すると同時に、ステップＳ４０９でテレビ画像を表示画面上に表示する。次のステップＳ４１０で電源オフされたかどうかを判定し、オフされていないと判定したときにはＮｏ側へ進んでステップＳ４０１からの処理を繰り返し、オフされていると判定したときにはＹｅｓ側へ進んでこのフローの処理を終了する。
【００６８】
ここで、本実施形態においては後述する消去処理のところでテレビ画像を検索すると共にそのテレビ画像の録画日時を参照して古いテレビ画像から消去することを行なうために、図５に示す様に、タグ領域内に撮影日時や画像の種類（ＴＶ，Ｃａｍ）を記録するようにしている。
【００６９】
図５は、タグを説明する図である。
【００７０】
図５に示す様にしておくと、撮影日時や録画日時のほかに画像の種類（撮影画像Ｃａｍ、テレビ画像ＴＶ）がタグに記録されるので、後からそのタグを参照して録画日時の古いテレビ画像をすぐに特定して消去処理を短時間のうちに行なうことができる。
【００７１】
以上の処理をＣＰＵ１００が実行すると、撮影中に見逃した部分は外部メモリ１４３に録画されることになるので、後からゆっくりとその録画を再生して見逃した部分を楽しむことができる。
【００７２】
次に、第２実施形態を説明する。上記第１実施形態では、撮影の間のテレビ画像が外部メモリ１４３に録画されるので後からその録画されたテレビ画像を再生して撮影中に見ることができなかった部分のテレビ画像を楽しむことができる。しかし撮影中にテレビ画像の表示が中断されて撮影後において中断前の部分から続けてテレビ画像が再生される構成であると、ユーザは撮影したことを意識せずに、撮影前のテレビ画像から続けてテレビ画像を楽しむことができる。
【００７３】
図６は、テレビ画像の録画が継続され、撮影後に中断したときのテレビ画像の続きが表示される構成にした場合のＣＰＵ１００の録画／表示処理の手順を示す図である。
【００７４】
ステップＳ４０８の処理が削除されステップＳ４０９の処理内容がステップＳ４０９Ａに変更されている以外は、図４の処理とほほ同じである。
【００７５】
ステップＳ４０７で、静止画の記録が終了したと判定したときにＹｅｓ側へ進んでステップ４０９Ａでテレビ録画を継続しながら、表示画面への、中断時のテレビ画像の続きの部分からテレビ画像の表示を再開する処理を行なっている。
【００７６】
この構成にすると、ユーザは、撮影後に中断前のテレビ画像を続けて楽しむことができる。
【００７７】
ここで、本出願人は特開２００５−１６７７０１号公報明細書中でいわゆる、ピクチャインピクチャという技術を使って２つの画面を表示画面上に表示する技術を提案している。
【００７８】
そこで、表示画面への表示処理に関して上記技術を使って、テレビモードにあるときは表示画面にテレビ画像を表示するとともにその表示画面の一部領域に被写体を写し出し、撮影操作指示操作子の操作を受けて、表示画面に被写体を写し出すとともにその一部領域にテレビ画像を表示するとともに録画し、撮影終了後は、録画を終了して表示画面にテレビ画像を表示するとともにその一部領域に被写体を写し出す構成にしても良い。
【００７９】
図７は、ピクチャーインピクチャ機能を実現する構成を説明する図である。
【００８０】
図７の構成を持つデジタルカメラ１´は、図１，図２に示す外観を持つ。
【００８１】
図７に示す様に、ピクチャーインピクチャー機能をＣＰＵ１００と共に実現する画像処理部１００Ｂが追加されている。
【００８２】
また図８は、図７の構成の中のＣＰＵ１００と画像処理部１００Ｂが行なう表示／録画処理の手順を示すフローチャートである。
【００８３】
ステップＳ４０２とステップＳ４０４とステップＳ４０９の処理がステップＳ４０２Ｂ、ステップＳ４０４Ｂ、ステップＳ４０９Ｂに変更されている以外は、図4の処理と同じである。
【００８４】
ステップＳ４０２Ｂで表示画面にテレビ画像を表示するとともに、一部領域にスルー画を表示する。ステップＳ４０３でレリーズボタンが半押しされたと判定したときにはステップＳ４０４Ｂで表示画面にスルー画を表示するとともにテレビ画像を一部領域に表示し、ステップＳ４０５で一部領域に表示したテレビ画像の録画を開始する。撮影終了後のステップＳ４０９Ｂで、表示画面にテレビ画像を表示するとともに一部領域にテレビ画像を表示して、撮影処理を終了する。なお、ステップＳ４０７で静止画像を記録するときには前述した様に撮影時刻と静止画像である旨のタグを付して外部メモリ１４３に記録する。
【００８５】
このようにしても良い。
【００８６】
上記実施形態では、静止画撮影モードについて処理を説明してきたが、図１，図２，図３，図７に示すカメラ／テレビ兼用装置１，１´には、動画撮影モードも搭載されている。
【００８７】
図９は、ＣＰＵが実行する動画撮影モードの場合の撮影処理を説明する図である。この実施形態では、レリーズボタン１１５が継続的に押されている場合には動画撮影が継続され、レリーズボタンがオフされたときに動画撮影が終了する。
【００８８】
図９の処理と図８の処理とほぼ同じ処理であるが、動画撮影中、レリーズボタンが全押しされたままになるので、ステップＳ４０６１からステップＳ４０６４までの処理、さらにステップＳ４１５からステップＳ４１７までの処理が追加されている。また、レリーズスイッチＳ１，Ｓ２が双方ともにオフされたときに動画記録を終了にする構成になっているので、図４のステップＳ４０７の処理が省略されている。
【００８９】
簡単に説明すると、ステップＳ４０６で全押しされてスイッチＳ２がオンしたと判定したらＹｅｓ側へ進んでステップＳ４０６１で動画記録を開始して、ステップＳ４０６２で全押しスイッチＳ２がオフしたと判定したらＹｅｓ側へ進んでステップＳ４０６３で動画記録を停止して、さらにステップＳ４０６４で半押しスイッチＳ１がオフしたらＹｅｓ側へ進んでステップＳ４０８でテレビ画像の録画を停止する。また、カメラモードのときにも動画撮影であるのでステップＳ４１２からステップＳ４１７でレリーズボタンの継続操作に応じて同様の処理を行なう。なお、ステップＳ４０５、ステップＳ４１４Ｂで動画像を外部メモリ１４３に記録するときには前述した様に撮影時刻と動画像である旨のタグを付して外部メモリ１４３に記録する。
【００９０】
ＣＰＵ１００が上記処理を実行すると、静止画撮影のときと同じ様に、動画撮影においても撮影中にはスルー画が表示画面に表示されテレビ画像が録画されるとともに表示画面の一部領域にテレビ画像が表示され、撮影終了前と撮影終了後においてはテレビ画像が表示画面に表示され一部領域にスルー画が表示される。
【００９１】
ここで、撮影により得た画像を記録するときには外部メモリ１４３の容量が足りない場合がある。その場合には、撮影により得た画像の方を、記録されている撮影画像やテレビ画像よりも優先して記録する構成にしておく必要がある。例えば外部メモリ１４３に記録されているテレビ画像を消去してテレビ画像を消去することにより確保した空き領域に撮影画像を記録する構成にすることが考えられる。
【００９２】
図１０（ａ）、図１０（ｂ）は、動画撮影時にＣＰＵ１００が行なう消去処理を説明するフローチャートである。尚この例では、レリーズボタンにトグル動作のものが使用され、一回の押し操作で動画記録が開始され、動画記録中に再操作されると動画記録が終了する構成になっている。
【００９３】
ステップＳ１００１で、レリーズボタン１１５が押されたかどうかを判定する。ここでレリーズボタン１１５が押されたと判定したらＹｅｓ側へ進んでステップＳ１００２で外部メモリ１２２の空き容量を調査する。次のステップＳ１００３でステップＳ１００２の調査の結果、空き容量が撮影画像の記録に足りるかどうかを判定する。ステップＳ１００３で足りると判定したときにはＹｅｓ側へ進んでステップＳ１００４で動画記録を開始し、ステップＳ１００５で記録領域の空き領域をもう一度調査する。ステップＳ１００６で動画記録を行なうための空き容量があるかどうかを判定し、あると判定したときにはＹｅｓ側へ進んでステップＳ１００７でレリーズボタンが再度押されたかどうかを判定する。ここでレリーズボタンが再度押されたと判定したときには次のステップＳ１００８で動画記録を終了する。次のステップＳ１００９で電源スイッチがオフされたかどうかを判定して電源スイッチがオンされたままであると判定したらステップＳ１００１に戻ってステップＳ１００１からの処理を繰り返す。またステップＳ１００９で電源スイッチがオフされたと判定したらＹｅｓ側へ進んでステップＳ１０１０で電源をオフしてこのフローの処理を終了する。
【００９４】
ステップＳ１００３で、空き容量がないと判定したらＮｏ側へ進んでステップＳ１０１１で外部メモリ内にテレビ画像がどのぐらい記録されているかを調査する。次のステップＳ１０１２でテレビ画像があると判定したらＹｅｓ側へ進んでステップＳ１０１３でテレビ画像を消去して次のステップＳ１０１４で動画像の記録を既に開始しているかどうかを判定する。ステップＳ１０１４で既に記録を開始していると判定したら、Ｙｅｓ側へ進んでステップＳ１００５へ進んで以降ステップＳ１００５からの処理を実行する。またステップＳ１０１４で動画像の記録を開始していないと判定したらＮｏ側へ進んでステップＳ１００４からの処理を実行する。
【００９５】
またステップＳ１０１２で外部メモリ内にテレビ画像が存在しないと判定したらＮｏ側へ進んでステップＳ１０１５で「記録領域がいっぱいで記録できません。撮影動画像の記録をする前に画像の整理をお願いします」と表示して次のステップＳ１０１６で動画記録を開始しているかどうかを判定し、記録を開始していると判定した場合にはステップＳ１００８へ進んで動画像記録を中止してステップＳ１００８以降の処理を実行してこのフローの処理を終了し、ステップＳ１０１６でまだ動画像記録を開始していないと判定したら、Ｎｏ側へ進んでステップＳ１００９へ進んで動画記録をせずにこのフローの処理を終了する。なおステップＳ１００４で動画像の記録をするときには、図５で説明した様に、動画像である旨および現在時刻が書き込まれたタグを画像データに付して画像ファイルの形にして記録する。
【００９６】
つまり、本発明にいう表示／録画制御手段であるＣＰＵ１００は、レリーズボタン１１５の操作を受けて外部メモリの空き容量を検出し、その空き容量が撮影画像の記録に足りないとき、そのメモリにテレビ画像が記録されていた場合はそのテレビ画像を消去して撮影画像の記録領域を確保するものであるということになる。
【００９７】
ここで、表示／録画制御手段であるＣＰＵ１００は、外部メモリ１４３に記録されているテレビ画像を消去するにあたり、その外部メモリ１４３に複数の時点における複数のテレビ画像が記録されていた場合にタグを参照して時間的に古いテレビ画像を消去するものであると良い。時間的に古い画像であればあるほど、ユーザが必要性のない画像である可能性が高くなる。
【００９８】
図１０（ｂ）は、図１０（ａ）のステップＳ１０１３の処理の詳細を説明するフローチャートである。
【００９９】
ステップＳ１０１３の処理が開始されると、ステップＳ１０１３１で外部メモリ１４３に記録されているテレビ画像の個数とそれぞれの記録日時を調査する。前述した様に、テレビ画像の記録においては、タグが付されているので、ここではそのタグ情報を参照してテレビ画像の個数と記録日時を調べる。
【０１００】
次のステップＳ１０１３２でテレビ画像が複数あるかどうかを判定し、複数あると判定したらＹｅｓ側へ進んで次のステップＳ１０１３３で時間的に古いテレビ画像を消去してステップＳ１０１４に戻る。
【０１０１】
ステップＳ１０１３２でテレビ画像が１つしかないと判定したらＮｏ側へ進んで「テレビ画像があります。消去しても良いですか」と表示して、ステップＳ１０１３５でユーザからＯＫの指示があるかどうかを判定する。ステップＳ１０１３５でユーザからＯＫの指示があったときにはＹｅｓ側へ進んでステップＳ１０１３６でテレビ画像を消去してステップＳ１００４へ進む。
【０１０２】
このようにすると、空き領域が確保されて撮影画像が外部メモリに記録されるときには時間的に古い画像が消去されて新しく撮影した画像が外部メモリに確実に記録される。
【０１０３】
ここで、ユーザの中には、たとえ時間的に古い画像であっても大切に保管しておきたいと思う人がいる。このような人にとっては、画像がどのような形であれ残っていた方が良い。
【０１０４】
図１１（ａ）は、メモリの空き容量を確保するために外部メモリ１４３内に記録されていたテレビ画像を消去せずに済む様にした場合の処理を説明するフローチャートである。      
【０１０５】
図１１（ｂ）は、図１１（ａ）のステップＳ８１３Ａの処理の詳細を示すフローチャートである。
【０１０６】
図１１（ａ）の処理は、図１０（ａ）のステップＳ１０１３の処理がステップＳ１０１３Ａの処理に変更され、この変更に伴ってステップＳ１００８１からステップＳ１００８４の処理が追加された以外は、図１０（ａ）の処理と同じである。また図１１（ｂ）の処理は、図１０（ｂ）の処理のステップＳ１０１３３とステップＳ１０１３６の処理がステップＳ１０１３３ＡとステップＳ１０１３６Ａに変更された以外は、図１０（ｂ）の処理と同じである。
【０１０７】
図１１（ａ）の処理の、図１０（ａ）との違いを簡単に説明する。
【０１０８】
ステップＳ１００３で、空き容量がないと判定したらＮｏ側へ進んでステップＳ１０１１で外部メモリ内に撮影画像、テレビ画像がどのぐらいあるかを調査する。次のステップＳ１０１２でテレビ画像があると判定したらＹｅｓ側へ進む。
【０１０９】
ここで本実施形態ではステップＳ１０１３Ａでテレビ画像を消去せずに内部メモリ１００ａに移動させて次のステップＳ１０１４ですでに動画像の記録を開始しているかどうかを判定する。ステップＳ１０１４ですでに動画像の記録を開始していると判定したら、Ｙｅｓ側へ進んでステップＳ１００５へ進んで以降ステップＳ１００５からの処理を実行する。
【０１１０】
ＣＰＵ１００がステップＳ１００６〜ステップＳ１００８までの処理を実行したらステップＳ１００８１で記録領域の空き領域を調査してステップＳ１００８２で記録領域の空き領域に収まるように内部メモリ１００ａに移動させておいたテレビ画像を圧縮してステップＳ１００８３で外部メモリ１４３に記録し、次のステップＳ１００８４で内部メモリ１００ａをクリアする。次のステップＳ１００９で電源オフされたかどうかを判定して電源オフされたらこのフローの処理を終了する。
【０１１１】
また図１１（ａ）のステップＳ１０１３Ａの処理が開始されると、図１１（ｂ）に示す様にステップＳ１０１３１で外部メモリ１４３に記録されているテレビ画像の個数とそれぞれの記録日時をタグを参照して調査する。次のステップＳ１０１３２でテレビ画像が複数あるかどうかを判定し、複数あると判定したらＹｅｓ側へ進んで次のステップＳ１０１３３Ａで消去せずに時間的に古いテレビ画像を内部メモリ１００ａに移動させてステップＳ１０１４に進む。
【０１１２】
また、ステップＳ１０１３２でテレビ画像が１つしかないと判定したらＮｏ側へ進んで「テレビ画像があります。消去しても良いですか」と表示して、ステップＳ１０１３５でユーザからＯＫの指示があるかどうかを判定する。ステップＳ１０１３５でユーザからＯＫの指示があったら、Ｙｅｓ側へ進んでステップＳ１０１３６Ａで外部メモリ内のテレビ画像を内部メモリに移動してステップＳ１００４へ進む。
【０１１３】
このようにすると、動画記録を行なうにあたって、一旦内部メモリに移動したテレビ画像を圧縮して新たに外部メモリに記録することになるため、外部メモリに記録されていたテレビ画像を消去せずに済む。
【０１１４】
つまり、本発明にいう表示／録画制御手段であるＣＰＵは、レリーズボタンの操作を受けて、外部メモリの空き容量を検出しその空き容量が撮影画像の記録に足りないとき、その外部メモリにテレビ画像が記録されている場合はそのテレビ画像を内部メモリに移動させてその外部メモリに撮影画像の記録領域を確保するものであるということになる。
【０１１５】
さらに、表示／録画制御手段であるＣＰＵ１００は、撮影終了後に、内部メモリ１００ａに移動しておいたテレビ画像を圧縮して外部メモリに書き戻すものであるということになる。
【０１１６】
以上説明した様に、テレビを見ている最中にシャッタチャンスが訪れたときには撮影を行なうことができ、かつ撮影の間のテレビ画像を楽しむこともできるカメラ／テレビ兼用装置、およびそのカメラ／テレビ兼用装置に搭載される表示／録画制御方法が実現する。
【０１１７】
なお、上記実施形態では、消去処理を行なったり、内部メモリに移動させることにより退避処理を行なったりしているが、外部メモリの空き領域の３０％の部分をリングバッファにして、外部メモリが満杯状態になったときにはその外部メモリのリングバッファ部分に撮影画像を入れてリングバッファにあるテレビ画像を順次に消していく構成にしておいても良い。
【０１１８】
また、上記実施形態では、動画の一例としてテレビ画像を取り扱ったが、本発明は、テレビ画像に限らず、例えば映画等のコンテンツなど動画一般について適用することができるものである。
【図面の簡単な説明】
【０１１９】
【図１】本発明の撮影装置の第１実施形態であるカメラ／テレビ兼用装置を斜め上前方から見た外観斜視図である。
【図２】図１に示すカメラ／テレビ兼用装置の背面を示す外観図である。
【図３】図１、図２のカメラ／テレビ兼用装置１内部の構成を示す構成ブロック図である。
【図４】テレビモードが指定されてテレビ画像が表示画面に表示されているときにレリーズボタンが全押し（Ｓ２）されたときにＣＰＵ１００が行なう表示／録画に関する処理手順を示すフローチャートである。
【図５】タグを説明する図である。
【図６】テレビ画像の録画が継続され、撮影後に中断したときのテレビ画像の続きが表示される構成にした場合のＣＰＵ１００の処理の手順を示す図である。
【図７】ピクチャーインピクチャ機能を実現する構成を説明する図である。
【図８】図６の構成の中のＣＰＵ１００が行なう処理の手順を示すフローチャートである。
【図９】動画撮影モードの場合の処理を説明する図である。
【図１０（ａ）】ＣＰＵ１００が行なう消去処理を説明するフローチャートである。
【図１０（ｂ）】図１０（ａ）のステップＳ１０１３の処理の詳細を説明するフローチャートである。
【図１１（ａ）】メモリの空き容量を確保するためにメモリ内に記録されていたテレビ画像を消去せずに済む様にする場合の処理を説明するフローチャートである。
【図１１（ｂ）】図１１（ａ）のステップＳ１０１３Ａの処理の詳細を説明するフローチャートである。
【符号の説明】
【０１２０】
１    カメラ／テレビ兼用装置
１００    ＣＰＵ
１００ａ      メインメモリ（内部メモリ）
１００Ｂ    外部メモリ
１０２    ＣＣＤ
１０３    ＣＤＳアナログデコーダ
１０４    ホワイトバランスアンプ
１０５    γ補正部
１０６    点順次化部
１０７    Ａ／Ｄコンバータ
１０８    メモリコントローラ
１０９    ＥＶＲ
１１０    バス
１１１    レンズ鏡胴
１１１ａ    ズーム光学系
１１７０    ＬＣＤドライバ
１１７    ＬＣＤ
１１７Ａ    表示画面
１４０    ＹＣ信号作成部
１４００    ＮＴＳＣ信号作成部
１４１    圧縮伸張部
１４２    外部インターフェイス
１４３    外部メモリ
【図１】
2009089038.tif 000003
【図２】
2009089038.tif 000004
【図３】
2009089038.tif 000005
【図４】
2009089038.tif 000006
【図５】
2009089038.tif 000007
【図６】
2009089038.tif 000008
【図７】
2009089038.tif 000009
【図８】
2009089038.tif 000010
【図９】
2009089038.tif 000011
【図１０（ａ）】
2009089038.tif 000012
【図１０（ｂ）】
2009089038.tif 000013
【図１１（ａ）】
2009089038.tif 000014
【図１１（ｂ）】
2009089038.tif 000015